(57)【要約】【課題】  静電気の影響を受けにくく、作業員などの被検対象が高電圧源に接近したことを正確に検出して警報を発することができる、信頼性の高い高電圧検出器を提供することである。【解決手段】  被検対象に複数の電界センサＳ１，Ｓ２，Ｓ３を備え、これら電界センサを演算手段２に接続して、この演算手段２は電界センサの検出値間の差を演算するとともに、その差が設定値以上になったとき、警報信号を出力する構成にし、高電圧源に接近したことを知らせる。【選択図】  図２
2011192033.tif 000002
【特許請求の範囲】
【請求項１】
被検対象に複数の電界センサを備え、これら電界センサを演算手段に接続し、この演算手段は上記複数の電界センサの検出値の差を演算するとともに、その差が上記演算手段に予め記憶させた設定値以上になったとき、警報信号を出力する構成にした高電圧検出器。
【請求項２】
被検対象に備える保持手段に複数の電界センサを設け、これら各電界センサは、同一の高電圧源に対して検出値が異なる関係を保った構成にした請求項１記載の高電圧検出器。
【請求項３】
被検対象に備える保持手段に複数の電界センサを設け、これら各電界センサの検出方向を相違させた請求項１または２に記載の高電圧検出器。
【請求項４】
被検対象に備える保持手段に複数の電界センサを設け、これら各電界センサは、上記同一の高電圧源に対して異なる距離を保つ構成にした請求項１〜３のいずれか１に記載の高電圧検出器。
【発明の詳細な説明】
【技術分野】
【０００１】
この発明は、高電圧源に接近したことを知らせるための高電圧検出器に関する。
【背景技術】
【０００２】
従来から、鉄道の架線工事など、電気関係の工事を行なう作業員が、充電状態にある高電圧機器や高電圧の送電線などの高電圧源に接近したとき、それを知らせるための高電圧検出器が知られている。
この種の高電圧検出器として、例えば、特許文献１，２に示すものがあるが、これらは高電圧源によって電界が誘導される検出電極と、この検出電極が受ける電界を検出する検出回路とを備え、その検出信号値によって高電圧電源に接近したかどうかを判断するものである。具体的には、上記検出電極からの検出信号の値を設定値と比較して、設定値を超えたときに警報信号を発するようにしている。
【０００３】
そして、特許文献１には、作業員が利用するヘルメットにテープ状の検出電極を貼り付けて、この検出電極の電圧を検出して高電圧源の有無を検出するものが記載されている。
また、特許文献２に記載された高電圧検出器も、検出電極を作業員のヘルメットなどに取り付け、この検出電極の誘導電流を検出するものであるが、通信機能を備え、通信によって作業員以外にも高電圧源への接近を知らせるようにしている。
【先行技術文献】
【特許文献】
【０００４】
【特許文献１】特開平１１−０１２８４２号公報
【特許文献２】特許第３４５９４８５号公報
【発明の概要】
【発明が解決しようとする課題】
【０００５】
上記のように、従来の高電圧検出器は、検出電極の検出値に応じて高電圧源までの距離を検出するようにしていた。しかし、上記検出電極に誘導される電界の検出値は静電気の影響を受けやすく、正確な誘導電界を検出しにくいという問題があった。特に、作業員自身や、作業員のヘルメット、着衣などは静電気が溜まりやすく、これらに検出電極を取り付けたときには静電気の影響で検出値が変化し、高電圧源に接近しているかいないかを検知できないこともある。そのため、高電圧源に接近しているのに警報が発せられなかったり、反対に、実際にはそれほど接近していないのに、警報を発してしまったりすることがある。
この発明の目的は、作業員などの被検対象が高電圧源に接近したことを正確に検出して警報を発することができる、信頼性の高い高電圧検出器を提供することである。
【課題を解決するための手段】
【０００６】
第１の発明は、被検対象に複数の電界センサを備え、これら電界センサを演算手段に接続し、この演算手段は上記複数の電界センサの検出値の差を演算するとともに、その差が上記演算手段に予め記憶させた設定値以上になったとき、警報信号を出力する構成にした点に特徴を有する。
この発明の電界センサには、静電電位計，非接触電位計（表面電位計）と呼称される電位センサも含まれるもので、要するにこのセンサが受ける電界の大きさを計れるものはすべて含まれるものである。
また、上記高電圧源の高電圧とは、人が接近したときに危険を及ぼす大きさの電圧である。
【０００７】
第２の発明は、上記第１の発明を前提とし、被検対象に備える保持手段に複数の電界センサを設け、これら各電界センサは、同一の高電圧源に対して検出値が異なる関係を保った点に特徴を有する。
なお、上記同一の高電圧源に対して検出値が異なる関係とは、同一の高電圧源に基づいて各電界センサが電界を受け、その検出値の値が異なるようになっているということであり、このような関係を保つ構成には、複数の電界センサを、高電圧源から異なる距離に配置することだけでなく、センサの検出方向を相違させたり、各電界センサの検出感度を相違させたりする構成などが含まれる。
【０００８】
第３の発明は、上記第１、第２の発明を前提とし、被検対象に備える保持手段に複数の電界センサを設け、これら各電界センサの検出方向を相違させた点に特徴を有する。
なお、電界センサの検出方向とは、電界センサの高電圧源に対する向きのことである。高電圧電源の電圧や位置が同じでも、電界センサの向きが異なればそのセンサが受ける電界が異なって検出値が変わり、高電圧源に電界センサが正対しているとき、最も大きな検出値を出力する。
【０００９】
第４の発明は、上記第１〜第３の発明を前提とし、被検対象に備える保持手段に複数の電界センサを設け、これら各電界センサは、上記同一の高電圧源に対して異なる距離を保つ構成にした点に特徴を有する。
【発明の効果】
【００１０】
第１〜第４の発明では、高電圧検出器が高電圧源に接近したかどうかを、電界センサの電界の検出値の大小で判断するのではなく、複数の電界センサから出力される検出値の差によって判断するようにしている。電界センサは、高電圧電源からの距離が同じでも、電界センサの検出方向や、取り付け箇所の静電気によって検出値が変化するが、この発明では、検出値の大小ではなく、複数の電界センサからの検出値の差によって高電圧電源に接近したことを検出するようにしている。そのため、静電気の影響を受け難く、高電圧源に接近したときには確実に警報を出力でき、安全である。
また、電界センサを複数設けることによって、電界センサの検出可能範囲が広くなり、電界センサの死角を小さくすることができる。
【００１１】
第２の発明によれば、保持手段に設けた複数の電界センサを、同一の高電圧源の検出値が異なる位置関係に設けているので、これらの電界センサと高電圧源との距離が短くなったときに、各電界センサの検出値の差が大きくなって高電圧源に接近したことを検出することができる。
【００１２】
第３の発明では、複数の電界センサの検出方向を相違させたので、全ての電界センサと高電圧源との距離が等しくなったとしても、各電界センサからの検出値には差が出ることになる。そのため、高電圧検出器が高電圧源に接近したときには、各電界センサからの検出値の差がより大きくなり、高電圧源への接近状態が判別しやすくなる。
第４の発明では、各電界センサと高電圧源との距離を異なる距離にすることによって、各電界センサからの検出値に差が出るようにしている。そのため、高電圧検出器が高電圧源に接近したときには、各電界センサからの検出値の差がより大きくなり、高電圧源への接近状態が判別しやすくなる。
【図面の簡単な説明】
【００１３】
【図１】第１実施形態の高電圧検出器を示す平面図である。
【図２】第１実施形態の高電圧検出器の構成図である。
【図３】電界センサの検出方向を説明するための図である。
【図４】高電圧の送電線Ｗに対して作業員が後ろ向きになっている状態を示した図である。
【図５】図４に示す状態における、送電線Ｗからの距離Ｌと電界センサの検出値Ｅとの関係を示すグラフである。
【図６】送電線Ｗに対して作業員が正対している状態を示した図である。
【図７】送電線Ｗに対し、作業員が横を向いている状態を示した図である。
【図８】図７に示す状態における、送電線Ｗからの距離Ｌと電界センサが検出した検出値Ｅとの関係を示すグラフである。
【図９】第２実施形態の斜視図である。
【図１０】第３実施形態の斜視図である。
【発明を実施するための形態】
【００１４】
図１〜図８に基づいて、この発明の第１実施形態を説明する。
図１は、第１実施形態の高電圧検出器を取り付けたヘルメット１を示した図で、このヘルメット１は、高電圧源に接近する可能性のある、この発明の被検対象である電気工事の作業員などが装着するものである。
この実施形態の高電圧検出器は、図２に示すとおり、３個の電界センサＳ１，Ｓ２，Ｓ３と、これらに接続した演算手段２と、警報手段３とで構成されている。
上記各電界センサＳ１，Ｓ２，Ｓ３はそれぞれ、高電圧源によって電荷が誘導される検出電極を備え、検出した電界の検出値を演算手段２に対して出力するものである。個々の電界センサが電界を検出する原理は上記従来例のものと同様で、高電圧源からの距離が小さくなるほど大きな電界を検出するものである。
【００１５】
このような電界センサは、原理的には高電圧源の電圧が交流でも直流でも検出可能であるが、実際には直流電界の正確な検出は難しかった。なぜなら、上記電界センサの電極に、同一極性の電荷のみが誘導されると、電極に溜まった電荷が逃げて時間とともに電界が変化してしまうことがあるからである。
従って、長時間電界を検出するためには、電界センサＳ１，Ｓ２，Ｓ３に、音叉などを利用して開閉を繰り返すシャッターを備えるのが望ましい。
【００１６】
そして、この第１実施形態では、上記各電界センサＳ１，Ｓ２，Ｓ３を、ヘルメットの外周に所定の間隔を保って設け、演算手段２及び警報手段３を備えたデータ処理部４をヘルメット１の前面に設けている。なお、図中、符号１ａは、ヘルメット１のつばであり、作業員は、このつば１ａを前にしてこのヘルメット１を被るものとする。
【００１７】
なお、上記ヘルメット１の外周に設けた電界センサＳ１，Ｓ２，Ｓ３は、それぞれ検出方向がある。この検出方向とは、電界センサの高電圧源に対する向きのことで、高電圧電源の電圧や位置が同じでも、電界センサの向きが異なればそのセンサが受ける電界が異なり検出値が変わる。そして、電界センサが高電圧源に対して正対するとき、高電圧電源と電界センサとの間の静電容量が最大となり、電界の検出値が最大となる。この正対する方向を、各電界センサＳ１，Ｓ２，Ｓ３の近傍に矢印で図示している。高電圧源は、上記矢印の先端方向にあるとき、各電界センサＳ１，Ｓ２，Ｓ３と正対するものとする。
【００１８】
例えば、図３のように高電圧源としての送電線Ｗからの距離がＬ１の位置に３つの電界センサＳ１，Ｓ２，Ｓ３を設けるとともにその検出方向が異なる場合には、送電線Ｗと正対している電界センサＳ１の検出値が最も大きく、検出方向を送電線Ｗと反対側にしている電界センサＳ２の検出値が最も小さい。そして、送電線Ｗと正対はしていないが、反対向きでもない電界センサＳ３の検出値は上記両検出値の間になる。
そして、この第１実施形態では、図１に示すように、３個の電界センサＳ１，Ｓ２，Ｓ３の位置を装置させるとともに、検出方向も相違させてヘルメット１に設けている。
【００１９】
また、上記演算手段２は、各電界センサＳ１，Ｓ２，Ｓ３から出力される検出値に基づいて後で説明する処理によって、この高電圧検出器、すなわち高電圧検出器を備えた作業員が高電圧源に接近しているかどうかを判定する機能を備えている。そして、演算手段２が、作業員が高電圧源に接近していると判定した場合に、警報手段３に対して警報信号を出力する。なお、上記演算手段２が、作業員が高電圧源に接近していると判定する原理は後で詳しく説明する。
警報手段３は、演算手段２から警報信号が入力されたら、警報を発する機能を備えている。警報の種類としては、例えば、ブザーやサイレン、振動、ランプなど、作業員本人や第三者に、高電圧源に近づきすぎたことを知らせるものならどのようなものでもよい。但し、この第１実施形態では、警報手段３をヘルメット１に設けているので、ランプの点滅などでは作業員本人が気づかないので、本人に知らせるためには音や振動などが適している。
【００２０】
上記した第１実施形態のヘルメット１を被った作業員が、高電圧源である高電圧の送電線Ｗの周囲で作業をし、送電線Ｗに接近した場合に、上記高電圧検出器が警報を発するメカニズムについて以下に説明する。なお、ここで、作業員が高電圧源に接近した状態というのは、作業員が感電するなどの危険が及ぶ距離まで近づいた状態のことで、その距離は高電圧源の電圧によって変わるものである。
この第１実施形態の高電圧検出器は、電界センサＳ１，Ｓ２，Ｓ３をヘルメット１の周囲に間隔を保って設けるとともに、それら各電界センサの検出方向を相違させている。そのため、このヘルメット１を被った作業員が特定の位置にいるとき、送電線Ｗによって各電界センサＳ１，Ｓ２，Ｓ３が受ける電界が異なるので、各電界センサＳ１，Ｓ２，Ｓ３が出力する検出値は異なる。この点は、実験により確認している。
【００２１】
例えば、図４に示すように作業員が送電線Ｗに背を向けた状態で、送電線Ｗまでの距離を変化させて、各電界センサＳ１，Ｓ２，Ｓ３の検出値を測定した。
その結果、図５に示すデータが得られた。
図５は、図４のように作業員が送電線Ｗに背を向けた状態における、送電線Ｗからの作業員との距離Ｌと各電界センサＳ１，Ｓ２，Ｓ３の検出値Ｅとの関係を示したグラフである。なお、距離Ｌは上記ヘルメット１を被った作業員の中心と上記送電線Ｗとの距離である。
【００２２】
そして、図５のグラフに示すように電界センサＳ２の検出値が他の電界センサＳ１，Ｓ３と比べて大きい。その理由は、電界センサＳ２が他の電界センサＳ１，Ｓ３と比べて送電線Ｗに最も近く、しかも、電界センサＳ２が送電線Ｗと正対しているからである。
なお、図５のグラフに示したように、送電線Ｗと作業員との距離Ｌが大きくなるに従って、３つの電界センサＳ１，Ｓ２，Ｓ３のそれぞれの検出値は小さくなるとともに、検出値間の差が小さくなることが実験で明らかになった。
【００２３】
このように送電線Ｗと作業員との距離Ｌが大きくなるに従って検出値間の差が小さくなる理由は、次のように推測できる。
まず、作業員と送電線Ｗとの距離Ｌが大きくなるに従って、距離Ｌに対する各電界センサＳ１，Ｓ２，Ｓ３の位置の相対差が小さくなるので、検出値に差がなくなると考えられる。
また、距離Ｌが大きくなればなるほど、各電界センサの検出方向の違いも検出値にほとんど影響を及ぼさなくなる。
このような理由から、図５のグラフに示す実験結果が得られたと考えられる。
【００２４】
また、作業員が上記送電線Ｗと正対した場合は、各電界センサＳ１，Ｓ２，Ｓ３の位置関係及び検出方向は図６に示すようになる。ここでは図示しないが、送電線Ｗからの距離が等しく、検出方向が斜め前方に向いている電界センサＳ１及びＳ３の検出値は等しく、送電線Ｗから離れていて後ろ向きの電界センサＳ２の検出値が、上記電界センサＳ１よりもかなり小さかった。
そして、図６に示す向きの場合にも、送電線Ｗと作業員との距離Ｌが大きくなるに従って３つの電界センサＳ１，Ｓ２，Ｓ３の検出値の差が小さくなった。
【００２５】
さらに、図７に示すように、作業員の左手側に送電線Ｗを位置させた場合の、距離Ｌに対する電界センサＳ１，Ｓ２，Ｓ３から出力される検出値Ｅとの関係も測定した。その結果は、図８に示すとおりであった。
すなわち、送電線Ｗとの距離が最も小さく、検出方向が斜め前方の電界センサＳ１、次に距離が小さく検出方向が送電線Ｗに平行な電界センサＳ２、距離が大きく検出方向が送電線Ｗに対して斜め後ろ向きの電界センサＳ３の順に検出値が大きかった。
この場合も、上記距離Ｌが大きくなるに従って、３つの電界センサＳ１，Ｓ２，Ｓ３の検出値の差が小さくなったが、その理由は図５のグラフについて説明したものと同じと推測できる。
【００２６】
上記のように、３つの電界センサＳ１，Ｓ２，Ｓ３の検出方向や各電界センサの位置の差に応じた送電線Ｗからの距離によって検出値が異なるが、いずれの場合も、作業員と送電線Ｗとの距離Ｌが大きくなれば、電界センサ間の検出値の差が小さくなることが確認できた。
言い換えれば、送電線Ｗと作業員との距離Ｌが小さくなれば、位置や向きの影響が大きくなって、位置や向きの異なる各電界センサから出力される検出値の差が大きくなるということである。
【００２７】
そして、送電線Ｗと作業員との距離Ｌが小さくなったとき、各電界センサからの出力値の差が大きくなる理由は、次のように推測できる。
送電線Ｗと作業員との距離Ｌが小さくなると、上記距離Ｌに対する各電界センサの位置の相対差が大きくなるので、各電界センサの位置の差に応じた上記送電線Ｗと各電界センサとの距離の違いが、電界センサの検出値の大小に大きく現れると推測できる。
また、送電線Ｗと作業員との距離Ｌが小さければ、各電界センサの検出値は全体的に大きくなり、検出方向の違いによる検出値の変化が大きく表れる。
【００２８】
そこで、この第１実施形態の高電圧検出器は、上記送電線Ｗと作業員との距離Ｌが近づくに従って、複数の電界センサによる検出値の差が大きくなるという原理を利用して、作業員が送電線Ｗに接近したことを検出するようにしている。
そして、この第１実施形態の演算処理手段２では、各電界センサＳ１，Ｓ２，Ｓ３から検出値が入力されたら、それら検出値間の差を演算し、その差が設定値以上になった場合に高電圧源である送電線Ｗに接近していると判断して警報信号を警報手段へ出力するようにしている。この設定値は、電界センサＳ１，Ｓ２，Ｓ３の検出感度や検出方向などに応じて予め演算手段２に設定しておくものである。
【００２９】
なお、演算手段２は、３つの電界センサＳ１，Ｓ２，Ｓ３からの検出値の、全ての組み合わせの差のうち、いずれか一つでも設定値以上になった場合には警報信号を出力するようにしている。上記演算手段２は、入力された複数の検出値の全ての組み合わせにおける差を演算してから、演算した差の値と設定値とを対比するようにしてもよいし、２つの検出値の差を演算するごとにその値を上記設定値と対比するようにしてもよい。そして、上記差の値が上記設定値以上であると判断したときに警報信号を出力すればよい。要するにひと組の検出値に差が出れば、その他の組み合わせによる差を演算しなくてもよい。
【００３０】
上記のように、この第１実施形態の高電圧検出器では、電界センサＳ１，Ｓ２，Ｓ３からの検出値が大きいとき演算手段２が警報信号を出力するのではなく、検出値間の差が大きいときに高電圧源に接近したと判断し、演算手段２が警報信号を出力するようにしている。
電界センサＳ１，Ｓ２，Ｓ３からの検出値の大小は、ヘルメット表面の静電気などの影響を受けて変化する可能性があるため、検出値の大小によって高電圧源との接近状態を正確に判断することは難しい。しかし、このような静電気はヘルメット１に設けた３つの電界センサＳ１，Ｓ２，Ｓ３のいずれの検出値にもほとんど同じように影響を与えるので、検出値同士の差を取れば上記静電気の影響を排除することができる。
従って、この第１実施形態の高電圧検出器は静電気の影響を受け難く、作業員が高電圧源に近づき過ぎたとき、それを確実に検出して警報を出すことができる。
【００３１】
なお、上記第１実施形態では、ヘルメット１に高電圧検出器を取り付け、ヘルメット１がこの発明の被検対象である作業員に備える保持手段であるが、この保持手段は複数の電界センサを適当な位置関係を維持して保持できるものならどのようなものでもよい。
さらに、ヘルメット１に、複数の電界センサを保持した保持手段としての別部材を取り付けるようにしてもよい。
【００３２】
図９に示す第２実施形態は、ベルト５の外側に一定の間隔を保って上記第１実施形態と同じ電界センサＳ１，Ｓ２，Ｓ３を取り付けたものである。また、ベルト５には図２に示す第１実施形態と同様の演算手段２及び警報手段３からなるデータ処理部４を備えている。
さらに、このベルト５の両端には一対の接続部材６，６を備え、これら接続部材６，６を接続することによってこの第２実施形態の高電圧検出器を作業着の上に装着することができる。
また、上記第１実施形態のヘルメットに替えて、第２実施形態のベルト５を通常のヘルメットや帽子に取り付けて使用することもできる。
この第２実施形態の高電圧検出器も、これを装着した作業員が送電線などの高電圧源に近づいた事を確実に検出して警報を発することができる。
【００３３】
図１０に示す第３実施形態は、信号機や架線の修理、街路樹の伐採など行なうときに利用する高所作業車の作業台７に、４つの電界センサＳ１，Ｓ２，Ｓ３，Ｓ４を取り付けたものである。上記作業台７は、高所作業を行なう作業員が乗るための台で、この作業台７を移動させるための操作部を備えている。作業員は、自ら操作部を操作して作業台７を移動させる。
また、上記電界センサＳ１，Ｓ２，Ｓ３，Ｓ４は全て上記第１実施形態の電界センサＳ１と同じ機能を有するものである。そして、これらの電界センサＳ１，Ｓ２，Ｓ３，Ｓ４は、図２に示す第１実施形態と同様の演算手段２に接続され、この演算手段２にはランプやスピーカーなどを備えた警報手段３を接続している。そして、これら上記演算手段２及び警報手段３を作業台７に設けている。
【００３４】
特に、上記警報手段３を警報ランプで構成した場合には、その警報ランプを上記作業台７の操作部の近傍に設けて、作業台７の位置を操作している作業員が警報を見落とすことがないようにする必要がある。
この第３実施形態では、上記作業台７がこの発明の被検対象であるが、上記演算手段２が、上記電界センサＳ１，Ｓ２，Ｓ３，Ｓ４からの検出値間の差を演算し、その差の値が設定値以上になったとき、警報信号を出力する点は、上記第１実施形態と同じである。そのため、この第３実施形態の高電圧検出器も、静電気の影響を受けにくく、上記作業台７が高電圧の送電線などに接近したときには確実に警報を発することができる。
【００３５】
上記のように、第１〜第３実施形態の高電圧検出器は、それを取り付けた箇所の静電気の影響を最小限にして、高電圧源に接近したことを正確に検出し、確実に危険を知らせることができる。
特に、直流電界を検出する場合には、交流電界を検出する場合と比べて、電界センサが静電気の影響を受けやすいので、上記実施形態の高電圧検出器はより有効である。
【００３６】
また、上記実施形態では、複数の電界センサの検出方向を全て相違させているので、高電圧源がどの方向から接近したとしても電界検出の死角を少なくでき、電界を確実に検出することが可能である。
さらに、上記実施形態では全ての電界センサの設置位置も相違させ、高電圧源からの距離が異なるようにして、高電圧源に接近したときの検出値の差がより大きくなるようにしている。
【００３７】
そして、上記実施形態においては、全ての電界センサの設置位置を相違させることによって、同一の高電圧源に対して検出値が異なる位置関係と、全ての電界センサの検出方向を相違させることによって、検出値が異なる位置関係とを実現している。
但し、複数の電界センサの位置や、検出方向のすべてを相違させなくてもよく、例えば、全ての電界センサを一箇所に集中して設け、その検出方向だけを相違させてもよいし、検出方向を同じくして設置位置だけを相違させてもよい。
【００３８】
また、各電界センサの検出方向や設置の位置関係に基づいて、高電圧源の接近方向を判定することも可能である。
例えば、検出方向を相違させた電界センサの検出値間の差が大きくなったことにより高電圧源の接近を検出したとき、大きな検出値を出力した電界センサが高電圧源に正対していると判断し、高電圧源の接近方向を特定することができる。
このように高電圧源の接近方向が特定できれば、警報手段によって高電圧源の接近方向を知らせることもできる。具体的には、高電圧源がどちらから接近しているのかによって警報の音を変えたり、警報の種類を変えたりすることができる。
【産業上の利用可能性】
【００３９】
この発明の高電圧検出器は、被検対象としての作業員や機器などに取り付け、充電状態にある高電圧機器や高電圧の送電線などの様々な高電圧源に接近することによる危険を回避する必要がある様々な場所で利用可能である。
【符号の説明】
【００４０】
１    ヘルメット
２    演算手段
３    警報手段
５    ベルト
７    作業台
Ｗ    送電線
Ｓ１〜Ｓ４  電界センサ
【図１】
2011192033.tif 000003
【図２】
2011192033.tif 000004
【図３】
2011192033.tif 000005
【図４】
2011192033.tif 000006
【図５】
2011192033.tif 000007
【図６】
2011192033.tif 000008
【図７】
2011192033.tif 000009
【図８】
2011192033.tif 000010
【図９】
2011192033.tif 000011
【図１０】
2011192033.tif 000012